(57)【要約】【課題】  便器への着座時にも、また便器の前に立って行う男性の小便時にも、良好に身体を支えることのできる手摺りを提供する。【解決手段】  便器１で使用される手摺り３は、便器１の側方側に配置される側方手摺り部７と、便器１の手前側に配置される前方手摺り部とが一体化されて、回転軸６を介し上下方向に回動可能に設置されており、少なくとも、使用者が便器着座時に使用可能な着座使用位置Ｐ１と、着座使用位置Ｐ１より上方に一定角度回動された立位（男子小用）使用位置Ｐ２で固定できるように構成されている。【選択図】  図１
2006239095.tif 000002
【特許請求の範囲】
【請求項１】
洋風便器周りに設置される手摺りにおいて、
該手摺りは、便器後方に設置される手摺り固定部と、便器側方側に配置される側方手摺り部と、便器前方側に配置される前方手摺り部とからなり、
前記側方手摺り部の一端側が前記手摺り固定部に回転機構を介して回動可能に連結され、前記側方手摺り部の他端側に前記前方手摺り部が一体化されて構成され、
前記手摺りは、少なくとも前記側方手摺り部が略水平となる着座使用位置と、着座使用位置より上方に一定角度回動された立位使用位置に固定できることを特徴とする手摺り。
【請求項２】
前記前方手摺り部を、前記側方手摺り部に対し回動可能あるいは取り外し可能に構成したことを特徴とする請求項１に記載の手摺り。
【請求項３】
前記手摺りを、収納位置にも固定可能に構成したことを特徴とする請求項１または請求項２に記載の手摺り。
【発明の詳細な説明】
【技術分野】
【０００１】
本発明は、便器に設けられた手摺りに関するものである。
【背景技術】
【０００２】
従来、特許文献１に開示されているように、便器の側方に肘掛けを設けて、この肘掛け全体が上下方向に開閉できるように構成したものが存在する。
また、特許文献２に開示されているように、男子の小用時に身体を保持できる手摺りを、便器後方の壁面に回動可能に設けたものが存在する。
【特許文献１】特開２００３−２７５６２号公報
【特許文献２】特開２００４−２７５２４５号公報
【発明の開示】
【発明が解決しようとする課題】
【０００３】
特許文献１に開示されている肘掛けは、便器に座る時や立つ時に身体を保持できる機能を有するものであり、また、特許文献２に開示されているものは、男子の小用時に身体を保持することができる機能を有するものであるが、特許文献１の肘掛けと、特許文献２の手摺りは別々の商品であり、一つのもので両者の機能を持ち合わせた構造のものは存在せず、両者の機能を持ち合わせた商品の出現が望まれていた。
【課題を解決するための手段】
【０００４】
本発明は上記従来の問題点に鑑み案出したものであって、便器に座る時または便器から立つ時に身体を支えることができ、また男性の小用時にも良好に身体を支えることのできる手摺りを提供するものであり、その請求項１は、洋風便器周りに設置される手摺りにおいて、該手摺りは、便器後方に設置される手摺り固定部と、便器側方側に配置される側方手摺り部と、便器前方側に配置される前方手摺り部とからなり、前記側方手摺り部の一端側が前記手摺り固定部に回転機構を介して回動可能に連結され、前記側方手摺り部の他端側に前記前方手摺り部が一体化されて構成され、前記手摺りは、少なくとも前記側方手摺り部が略水平となる着座使用位置と、着座使用位置より上方に一定角度回動された立位使用位置に固定できることである。
【０００５】
また請求項２は、前記前方手摺り部を、前記側方手摺り部に対し回動可能あるいは取り外し可能に構成したことである。
【０００６】
また請求項３は、前記手摺りを収納位置にも固定可能に構成したことである。
【発明の効果】
【０００７】
本発明の手摺りは、便器後方に設置される手摺り固定部と、便器側方側に配置される側方手摺り部と、便器前方側に配置される前方手摺り部とからなり、側方手摺り部の一端側が手摺り固定部に回転機構を介して回動可能に連結され、側方手摺り部の他端側に前方手摺り部が一体化されて構成され、手摺りは、少なくとも側方手摺り部が略水平となる着座使用位置と、着座使用位置より上方に一定角度回動された立位使用位置に固定できることにより、着座使用位置に手摺りを固定させた状態では、便器へ着座する時、及び便器から立ち上がる時に、側方手摺り部に手をかけて身体を支えることができ、立ち座りが容易に行えるものとなる。
また、立位使用位置に手摺りを固定させた状態では、前方手摺り部が便器の前に立った使用者の胸の位置に配置されるため、男子の小用時に前方手摺り部で身体を支えることができ、使用者は便器の前に立って良好に小便を行うことができるものとなる。
【０００８】
また、前方手摺り部を側方手摺り部に対し回動可能あるいは取り外し可能に構成したことにより、前方手摺り部を回動させるか、或いは、外すことで、便器から立ち上がり易くなり、また、便器に着座し易いものとなる。
【０００９】
また、手摺りを収納位置にも固定可能に構成したことにより、使用しない時には、収納位置側へ回転させて、邪魔にならないように収納しておくことができるものとなる。
【実施例】
【００１０】
以下、本発明の実施例を図面に基づいて説明する。
図１は、便器に設けた手摺りの側面構成図であり、図２は平面構成図であり、図３は正面構成図である。
【００１１】
図において、便器１の後方のロータンク２の上部を囲むように、壁面５から平面コの字状に手摺り固定部４が設けられ、この手摺り固定部４の後端には垂下状に垂下固定アーム４ａが左右に設けられ、この垂下固定アーム４ａは壁固定金具４ｂを介して便器１後方の壁面５に固定されている。
【００１２】
この手摺り固定部４から回転軸６を介して上下方向に回動可能に側方手摺り部７が便器１の左右側に前方へ向かって延出されており、左右の側方手摺り部７の前端から直角方向に前方手摺り部８が一体状に連結され、前方手摺り部８は、便器１の前部側に壁面５と略平行状に配設されたものとなっている。
本例では、左右の側方手摺り部７，７と前方手摺り部８が、平面略コの字状に一体形成されており、左右の側方手摺り部７，７には、肘を掛けることのできる肘掛部７ａ，７ａが設けられている。なお、各側方手摺り部７の後端側には、上傾した傾斜部７ｂが折り曲げ状に一体形成されており、この傾斜部７ｂの後端が回転軸６に回動可能に連結されている。
【００１３】
前記手摺り固定部４，側方手摺り部７，前方手摺り部８で手摺り３が構成されており、この手摺り３は、図１に示すように、側方手摺り部７がほぼ水平状をなす着座使用位置Ｐ１、上方の立位使用位置Ｐ２、及び壁面５側へ収納される収納位置Ｐ３に亘って、上下方向に回動可能であり、このＰ１，Ｐ２，Ｐ３のそれぞれの位置で固定できるように構成されている。
【００１４】
Ｐ１，Ｐ２，Ｐ３の位置で固定するために、例えば、図４の概略構成図で示すように、回転軸６に、３個の係合凹部１０ａ，１０ｂ，１０ｃを凹み状に備えたギア部材１０を設け、このギア部材１０の係合凹部１０ａ，１０ｂ，１０ｃ内に係合できるスライド係子１１を、側方手摺り部７の傾斜部７ｂ内にスライド可能に設けておき、このスライド係子１１には連結バー１２を連結して、連結バー１２の先端に、例えば側方手摺り部７から下方へ垂下状にレバー９を設けた構造にしておく。
このレバー９を使用者Ｓが前後方向に引っ張ることで、スライド係子１１が係合凹部１０ａ，１０ｂ，１０ｃの何れかから抜脱し、この状態で側方手摺り部７が回転可能となり、上下方向に側方手摺り部７を回動させることができ、Ｐ１，Ｐ２，Ｐ３の何れかの位置で、再びスライド係子１１を係合凹部１０ａ，１０ｂ，１０ｃの何れかに挿し込むことでロック状態となり、Ｐ１，Ｐ２，Ｐ３の何れかの位置で手摺り３を固定することができる。
【００１５】
なお、立位使用位置Ｐ２では、１箇所ではなく段階的に固定可能に設定しておくと、男子の小用時に、使用者が体型に合わせて位置を選んで、固定して使用でき、使用勝手が良好なものとなる。
なお、傾斜部７ｂが形成されているため、着座使用位置Ｐ１においては、回転軸６の下方位置に側方手摺り部７の前端部分が略水平状に配置されることとなる。また、傾斜部７ｂが形成されているため、着座使用位置Ｐ１から上方へ持ち上げて立位使用位置Ｐ２に回動させた場合も、側方手摺り部７の前端が後方側に位置ずれすることなく、着座使用位置Ｐ１と立位使用位置Ｐ２における側方手摺り部７の前端の前後方向位置がほぼ同じとなるように構成されている。
【００１６】
着座使用位置Ｐ１に手摺り３を固定させた状態では、便器１へ着座する時、及び便器１から立ち上がる時に、この側方手摺り部７に手をかけて身体を支えることができ、立ち座りが容易に行えるものとなる。また、便器１上に着座した状態で、肘掛部７ａに肘を掛けることができるものとなる。
また、立位使用位置Ｐ２に手摺り３を固定させた状態では、前方手摺り部８が便器１の前に立った使用者Ｓの胸の位置に配置されるため、男子の小用時に前方手摺り部８で身体を支えることができ、使用者Ｓは便器１の前に立って良好に小便を行うことができるものとなる。
更に、使用しない時には、収納位置Ｐ３側へ回転させて、壁面５に沿わせて邪魔にならないように収納しておくことができるものとなる。
従って、この手摺り３では、便器の着座時に使用できるとともに、便器の前に立って男子が小用を行う際にも、良好に使用できるものである。
【００１７】
なお、図５に概略図で示すように、側方手摺り部７に対し前方手摺り部８を上方側へ回動可能な構造にするとか、或いは、図６に概略図で示すように、前方手摺り部８に側方手摺り部７に嵌め込み可能な凹溝８ａ、８ｂを設けておき、側方手摺り部７に対し前方手摺り部８を着脱できるような構造にしておくこともできる。
そのような、前方手摺り部８を側方手摺り部７から外すことができるような構造では、前方手摺り部８を回動させるか、或いは、外すことで、便器１から立ち上がり易くなり、また、便器１に着座し易いものとなる。
【００１８】
なお、側方手摺り部７は便器１の左右の何れか片側のみに存在するような構造であっても良く、また、この側方手摺り部７を回動可能に支持する手摺り固定部４は、壁面５に強固に保持されるものであれば、パイプ構造のものに限定されるものではない。
【図面の簡単な説明】
【００１９】
【図１】便器に取り付けられた手摺りの側面構成図である。
【図２】図１の平面構成図である。
【図３】図１の正面構成図である。
【図４】回動位置を固定できる構造の一例を示す概略構成図である。
【図５】側方手摺り部に対し前方手摺り部を回動させて外せるように構成した概略構成図である。
【図６】側方手摺り部に対し着脱可能な前方手摺り部の斜視構成図である。
【符号の説明】
【００２０】
１  便器
２  ロータンク
３  手摺り
４  手摺り固定部
５  壁面
６  回転軸
７  側方手摺り部
７ａ  肘掛部
７ｂ  傾斜部
８  前方手摺り部
９  レバー
１０  ギア部材
１０ａ，１０ｂ，１０ｃ  係合凹部
１１  スライド係子
１２  連結バー
【図１】
2006239095.tif 000003
【図２】
2006239095.tif 000004
【図３】
2006239095.tif 000005
【図４】
2006239095.tif 000006
【図５】
2006239095.tif 000007
【図６】
2006239095.tif 000008